(57)【要約】【課題】外部からの不正解錠を防止するとともに、室内側からの簡便な施錠を可能とし、かつ美観性を備えた施解錠装置、およびこの施解錠装置を備えた開口部装置を提供する。【解決手段】錠部６と受座８とを具備し、錠部には、係止部材７が該錠部を回動させる鍵操作に連動して受座に係合離脱されることで施解錠を可能とするシリンダー３０が設けられた施解錠装置であり、錠部に抜き差し可能であるとともに、係止部材を係合離脱させる開閉つまみ４０と、錠部内に設けられるとともに開閉つまみと一体に回動するロックプレート３１と、ロックプレートの回動を規制する固定手段３３ａ、３３ｂ、５２ａ、５２ｂ、５３ａ、５３ｂとを備え、開閉つまみは、ロックプレートの回動の規制を解除する規制解除手段４１を備え、開閉つまみを錠部内に差込むことにより、ロックプレートの回動の規制が規制解除手段によって解除されて開閉つまみの回動が可能と成るように構成されている。【選択図】      図２
2004346642.tif 000002
【特許請求の範囲】
【請求項１】
錠部と受座とを具備し、
前記錠部には、係止部材が該錠部を回動させる鍵操作に連動して前記受座に係合離脱されることで施解錠を可能とするシリンダーが設けられた施解錠装置であって、
前記錠部に抜き差し可能であるとともに前記係止部材を係合離脱させる開閉つまみと、前記錠部内に設けられるとともに前記開閉つまみと一体に回動するロックプレートと、該ロックプレートの回動を規制する固定手段とを備え、
前記開閉つまみは、前記ロックプレートの回動の規制を解除する規制解除手段を備え、前記開閉つまみを前記錠部内に差込むことにより、前記ロックプレートの回動の規制が前記規制解除手段により解除され、前記開閉つまみの回動が可能となる
ことを特徴とする施解錠装置。
【請求項２】
戸体と、前記戸体を開閉可能に支持した枠体と、前記戸体に錠部、前記枠体に受座を備えた施解錠装置とを具備する開口部装置であって、
前記錠部には係止部材が該錠部を回動させる室外側からの鍵操作に連動して前記受座に係合離脱されることで施解錠を可能とするシリンダーが設けられ、
前記錠部には、室内側から抜き差し可能であるとともに前記係止部材を係合離脱させる開閉つまみと、前記錠部内に設けられるとともに前記開閉つまみと一体に回動するロックプレートと、該ロックプレートの回動を規制する固定手段とが備えられ、
前記開閉つまみは、前記ロックプレートの回動の規制を解除する規制解除手段を備え、
前記開閉つまみを前記錠部内に差込むことにより前記ロックプレートの回動の規制が前記規制解除手段により解除され、前記開閉つまみの回動が可能となる施解錠装置を備えた開口部装置。
【発明の詳細な説明】
【０００１】
【発明の属する技術分野】
本発明は、防犯性を向上させた施解錠装置およびその施解錠装置を備えた開口部装置に関する。
【０００２】
【従来の技術】
住宅等の玄関に施工されている施解錠装置は、室内外の両方から施解錠が可能なタイプのものが大部分を占めている。中でも、室外側からはシリンダー内から抜き差し可能な鍵を用いて施解錠を行い、室内側からは予めシリンダーに固定装着されている開閉つまみ（サムターン）によって施解錠を行うものが多い。上記の鍵、およびサムターンを所定の方向に回転させると、この回転操作と連動して扉からデッドボルトが突出し、建物と一体化した枠体に備えられている受座に係合されることによって施錠される。また、施錠とは逆の操作を行えば、デッドボルトが扉内部に収納され、解錠される仕組みとなっている。
【０００３】
この、室内側に設けられたサムターンを回転させるつまみ操作のみで簡便に施解錠が行われるため、就寝時等に際しても鍵のかけ忘れが防止され、防犯性の向上が図られている。
【０００４】
このサムターンタイプの鍵構造が多く用いられるのには、上記のほか、取り付けにあたって扉厚の変化にも柔軟な対応ができ、取り付け後は、頑丈さと見栄えのよさを兼ね備えるといった理由もあり、サッシメーカーを中心に多くのドアに使用されている。
【０００５】
ところで、近年、犯罪が増加傾向にあるなかで、空き巣のような住居不法侵入の手口として従来のピッキング等の解錠手法に加えて、いわゆる「サムターン回し」という扉の破壊解錠手段が知られるようになった。その手段は扉に装飾や明り取りのためのガラス窓を設けている場合、室外側からそのガラス窓のガラスを破壊する、もしくは上記のようなガラス窓がない場合においては、室外側扉のシリンダー付近をドリル等の機器を用いて扉を破壊して穴を空け、室内側のサムターンを棒などを使用して解錠方向に不正に回動操作するものである。この解錠方法は、サムターンを設けることにより上記の室内側からも簡便に施解錠可能である利点を逆手にとったものであった。
【０００６】
この問題に対し、特許文献１には、扉を室内外両方向から鍵にて施錠、解錠することが可能で、上記室内側のシリンダーは通常では鍵を取り付けた状態に保持されているため、サムターンとしても機能するような施解錠装置を備えた建具が開示されている。
【特許文献１】特開平１１−９３４８２号公報
【０００７】
【発明が解決しようとする課題】
しかし、室内側に鍵操作が可能であるシリンダーを設けた場合、防犯性は向上されるものの、シリンダー部が室内側に突出してしまい、見栄えが良くないという問題があった。
【０００８】
そこで、本発明は、上記サムターンの有する問題点を解消し、外部からの不正解錠を防止するとともに、室内側からの簡便な施錠を可能とし、かつ美観性を備えた施解錠装置、およびこの施解錠装置を備えた開口部装置を提供することを課題とする。
【０００９】
【課題を解決するための手段】
以下、本発明について説明する。なお、本発明の理解を容易にするために添付図面の参照符号を括弧書きにて付記するが、それにより本発明が図示の形態に限定されるものではない。
【００１０】
請求項１の発明は、錠部（６）と受座（８）とを具備し、錠部には、係止部材（７）が該錠部を回動させる鍵操作に連動して受座に係合離脱されることで施解錠を可能とするシリンダー（３０）が設けられた施解錠装置であって、錠部に抜き差し可能であるとともに係止部材を係合離脱させる開閉つまみ（４０）と、錠部内に設けられるとともに開閉つまみと一体に回動するロックプレート（３１）と、ロックプレートの回動を規制する固定手段（３３ａ、３３ｂ、５２ａ、５２ｂ、５３ａ、５３ｂ）とを備え、開閉つまみは、ロックプレートの回動の規制を解除する規制解除手段（４１）を備え、開閉つまみを錠部内に差込むことにより、ロックプレートの回動の規制が規制解除手段により解除され、開閉つまみの回動が可能となることを特徴とする施解錠装置を提供して前記課題を解決する。
【００１１】
請求項１の発明によれば、通常サムターンと呼ばれる開閉つまみが錠に抜き差し可能であるので、この開閉つまみを錠から外しておくことにより、シリンダーに鍵を差し入れて解錠操作をしない限りは、解錠することができない。またこの状態においては、ロックプレートの回動が固定手段により規制されているため、開閉つまみと同一形状の軸の治具を利用して解錠つまみ差込口側から解錠を図ろうとしても、治具を回転させることができない。一方、開閉つまみを錠に差し込むと開閉つまみの規制解除手段がロックプレートの回動規制を解除するので、開閉つまみにより施解錠を自由に行うことができる。また、開閉つまみは単純形状であるため複雑な形状のシリンダーが不要であり、コンパクトな錠部を構成することができる。
【００１２】
本発明において、ロックプレートと規制解除手段に互いに引き合う磁石を配置することが好ましい。このようにすることにより、比較的安価で簡単な構造により、ロックプレートと規制解除手段を構成することができる。磁石は電磁石により構成しても良いが、構造を簡素なものとするという観点から永久磁石を利用することが好ましい。なお、必ずしもロックプレートと規制解除手段両者に磁石を配置する必要はなく、一方に磁石を配置し、他方には鋼等磁石に引寄せられる材料を使用しても良い。
【００１３】
また本発明の固定手段は、例えば錠と、この錠の内部のロックプレートとに凸部と凹部とを設けて両者が嵌合するようにして、さらにロックプレートを一方向に押圧する弾性体（例えばばね）を設けることにより構成することができる。
【００１４】
請求項２の発明は、戸体（４）と、前記戸体を開閉可能に支持した枠体（２）と、戸体に錠部（６）、枠体に受座（８）を備えた施解錠装置とを具備する開口部装置（１００）であって、錠部には係止部材（７）が錠部を回動させる室外側からの鍵操作に連動して受座に係合離脱されることで施解錠を可能とするシリンダー（３０）が設けられ、錠部には、室内側から抜き差し可能であるとともに係止部材を係合離脱させる開閉つまみ（４０）と、錠部内に設けられるとともに開閉つまみと一体に回動するロックプレート（３１）と、ロックプレートの回動を規制する固定手段（３３ａ、３３ｂ、５２ａ、５２ｂ、５３ａ、５３ｂ）とが備えられ、開閉つまみは、ロックプレートの回動の規制を解除する規制解除手段（４１）を備え、開閉つまみを錠部内に差込むことによりロックプレートの回動の規制が規制解除手段により解除され、開閉つまみの回動が可能となる施解錠装置を備えた開口部装置を提供して課題を解決する。
【００１５】
請求項２の発明によれば、通常サムターンと呼ばれる開閉つまみが錠に抜き差し可能であるので、例えば就寝時や外出時などには開閉つまみを錠から外しておくことにより、犯罪を企てる者が室外側からいわゆるサムターン回しを試みようとしてもサムターンを回す手がかりがないため、解錠することができない。またこの状態においては、ロックプレートの回動が固定手段により規制されているため、上記犯罪を試みる者が同一形状の軸の治具を利用して室内側から解錠を図ろうとしても、治具を回転させることができない。一方上記就寝時や外出時以外の通常時には開閉つまみを錠に差し込むと開閉つまみの規制解除手段がロックプレートの回動規制を解除するので、室内側から開閉つまみにより施解錠を自由に行うことができる。また、開閉つまみ、シリンダーともに単純形状で構成でき、コンパクトな錠部が設けられることによって突出が少なくなり、意匠性の高い開口部装置を提供することができる。
【００１６】
本発明のこのような作用及び利得は、次に説明する実施の形態から明らかにされる。
【００１７】
【発明の実施の形態】
以下本発明を図面に示す実施形態に基づき説明する。
【００１８】
図１は本発明をドアに適用した場合の、開口部装置１００の室外側正面図を示す。
【００１９】
ドア１は、室内外を隔てる場所に取り付けることが可能であり、玄関や通用口等に施工される。このドア１は、建物の躯体の開口部に嵌め込まれるように施工され、建物と一体化されている矩形枠状の枠体２と、枠体２を構成する上枠２ａ、下枠２ｂ、左枠２ｃおよび右枠２ｄのうち、右枠２ｄに備え付けられた蝶番３ａおよび３ｂによって支持されて、枠体２内部に開閉可能となるよう収められている戸体４とを備えている。
【００２０】
戸体４の戸先側には錠部６が設けられている。錠部６は主部材として、戸体４の戸先側に配置されたラッチボルト（図示せず）を操作するドアノブ５と、ドアノブ５の僅かに上にシリンダー２０と、シリンダー２０内部に形成され、戸先側の端面から出没可能に設けられた、例えば棒状（もしくは鎌状）の係止部材（以下において「デッドボルト」という。）７とを備えている。戸先側の縦枠２ｃにはデッドボルト７が係合離脱される受座８が備えられている。
【００２１】
また、戸体４には、明り採り、もしくは装飾のためのガラス窓９ａ、９ｂ、９ｃ、９ｄ、９ｅ、および９ｆが設けられている。
【００２２】
図２は図１のＩＩ−ＩＩ線に沿った拡大断面図である。上記図１に示した戸体４の室内外両面には、室外側からの鍵２１、および室内側からの開閉つまみ（以下において「サムターン」４０という。）の操作により連動してデッドボルト７を受座８（本図には現れていない。）に係合離脱させる施解錠可能なシリンダー２０および３０がそれぞれ設けられている。
【００２３】
シリンダー２０および３０は、錠部６の錠箱５０を挟んで、例えば連結ねじ５１ａおよびねじ５１ｂで室内側から互いに連結されている。また、錠部６全体が大きな突出なく戸体４の中に納まるように形成されている。
【００２４】
シリンダー２０および３０は連結ねじ５１ａおよびねじ５１ｂによって連結されているため、いずれか一方で鍵操作を行えば、連動して錠箱５０に備えられているデッドボルト７が出没され施解錠が行われるよう構成されている。通常室外側のシリンダー２０からは、鍵２１が抜き取られており、外出時や帰宅時の施解錠を行うときのみ鍵２１が差込まれる。一方、室内側のシリンダー３０に係合するサムターン４０は、通常はサムターンとしてシリンダー３０に差込まれたままの状態で、就寝時や外出時等、必要に応じて取り外すことができ、鍵としても機能する。サムターン４０と一体にシリンダー３０内において回動するロックプレート（以下において「磁石ロック盤３１」という。）は、磁石ロック盤３１の室外側対向面である固定板５３に設けられた孔５３ａおよび５３ｂに嵌入されることにより回動規制を行う係止爪３３ａおよび３３ｂが備えられている。サムターン４０がシリンダー３０から引き抜かれている場合は、磁石ロック盤３１はカバー３５に取り付けられたばね５２ａ、および５２ｂによって、室外方向に押圧されており、係止爪３３ａおよび３３ｂは固定板５３の孔５３ａおよび５３ｂに嵌入される。このようにして、サムターン４０が取り外されている場合には、磁石ロック盤３１は回動が規制されている。したがって、外出時等にサムターン４０を取り外しておけば、室外側から賊がサムターン回しを試みようとしても手がかりがないので、解錠することができない。また、例えサムターンと同一形状の治具を利用して解錠を試みようとしても、磁石ロック盤が回動規制されているので治具を回動させえず、解錠することができない。
【００２５】
以下、図３にはサムターン４０の構造を詳細に説明し、図４には磁石ロック盤３１の構造を詳細に説明し、さらに図５においてサムターン４０と磁石ロック盤３１との衝合の仕組みを説明する。さらに、上記図２の鎖線の四角枠ＶＩで囲んだ部分の拡大図を図６に示して施錠機構を説明する。
【００２６】
図３はサムターン４０を概略的に示す斜視図である。サムターン４０には、サムターン４０を抜き差しする際につまみとして機能するつまみ部４３と、上記シリンダー３０に面し、かつ内部に４つの磁石４２ａ〜４２ｄが嵌め込まれている磁石プレート４１が設けられている。この磁石４２ａ〜４２ｄは、それぞれ磁極が互い違いに配置されており、例えば磁石４２ａおよび４２ｄはＮ極、磁石４２ｂおよび４２ｃはＳ極とされている。
【００２７】
また、磁石プレート４１には主軸４４が設けられている。主軸４４は、磁石プレート４１の中心からつまみ部４３とは逆方向、すなわち室外方向に向けて延設されている。
【００２８】
図４は、磁石ロック盤３１の概略的な斜視図である。なお、図４は磁石ロック盤の構造についてより良い理解を得るために、図３とは室内外の方向が逆に表されており、視点は室内側にある。磁石ロック盤３１には、盤の内部に４つの磁石３２ａ〜３２ｄが嵌め込まれている。この磁石３２ａ〜３２ｄは、それぞれ磁極が互い違いに配置されており、磁石３２ａおよび３２ｄはＮ極、磁石３２ｂおよび３２ｃはＳ極とされている。さらに、室外側には、磁石３２ａ〜３２ｄの裏面側にあたる位置に４つの係止爪３３ａ〜３３ｄが設けられている。また、磁石ロック盤３１のほぼ中心には上述の主軸４４を出し入れさせるための孔３４が設けられている。孔３４の開口形状は、主軸４４の断面形状と略同一に形成されている。
【００２９】
図５には、サムターン４０と磁石ロック盤３１とが衝合された様子を斜視図により概略的に示す。
【００３０】
図５（ａ）は、磁石ロック盤３１によってサムターン４０が回動規制された状態を示した図である。磁石プレート４１には上述したとおり、磁石４２ａ〜４２ｄが、それぞれ磁極が互い違いに配置されている。磁石プレート４１に設けられた主軸４４は、切断面が矩形をなしている。磁石ロック盤３１には、この主軸４４の矩形の切断面よりわずかに大きな孔３４が設けられている。磁石ロック盤３１の孔３４に主軸４４が差し入れられることによって、磁石ロック盤３１と磁石プレートとが互いに接近可能となる。磁石ロック盤３１には磁石プレート４１と同様に、磁石３２ａ〜３２ｄ（破線にて図示）が設けられている。
【００３１】
磁石プレート４１と磁石ロック盤３１とが接近すると、図に示すとおり磁石４２ａ〜４２ｄと磁石３２ａ〜３２ｄとが磁力によって衝合するように、磁極が配置されている。磁石４２ａのＳ極には磁石３２ａのＳ極が、磁石４２ｂのＳ極には磁石３２ｂのＮ極が、磁石４２ｃのＳ極には磁石３２ｃのＮ極が、さらに磁石４２ｄのＮ極には磁石３２ｄのＳ極がそれぞれ衝合する。これら８つの磁石４２ａ〜４２ｄ、３２ａ〜３２ｄがすべて衝合されることによって、サムターン４０の回動を妨げていた磁石ロック盤３１が磁石プレート４１に引き寄せられて、磁石ロック盤３１と固定板（５３）との嵌合が解かれる。これにより、サムターン４０およびサムターン４０に衝合された磁石ロック盤３１の回動規制が解除されて、室内側からの施解錠が可能となる。
【００３２】
図５（ｂ）は、サムターン４０および磁石ロック盤３１が衝合され、回動可能となったサムターン４０を回動させた様子を示している。サムターン４０は、図５（ａ）のつまみ４３の上に示した矢印の方向へ９０度回動されており、デッドボルト７を受座８に嵌挿させた状態を表している。カバー３５（図６参照）を介してサムターン４０と磁石ロック盤３１とが、上述した、磁石４２ａ〜４２ｄ、３２ａ〜３２ｄの衝合によって一体となっている。また、解錠するには主軸４４を図中の矢印方向に回転させるよう、つまみ部４３をひねればよい。
【００３３】
磁石３２ａ〜３２ｄは、９０度の回転対称図形であるため施解錠時のいずれでサムターン４０を引き抜いても、磁石３２ａ〜３２ｄと嵌合する固定板５３に設けられた孔５３ａ〜５３ｄ（図示せず）へ嵌め入れられる。
【００３４】
このように、サムターン４０には磁石を４つ設け、いずれの磁石にもＳ極およびＮ極の磁極が設けられていることより、４箇所の磁石の組合せが正しくなければ磁石ロック盤３１が衝合されないため、外部から磁石を不当にあてられても磁石ロック盤３１は固定板（５３）から外れることなく、解錠、すなわちデッドボルト７を受座８から外すことは不可能である。
【００３５】
図６は図２の鎖線の四角枠ＶＩで囲んだ範囲を拡大した図であって、シリンダー３０周辺の部材を概略的に示している。以下に図６を参照しつつ、サムターン４０による施解錠機構を説明する。
【００３６】
この室内側のシリンダー３０に係合するサムターン４０は、上記のとおり室外側のシリンダー２０に用いられているピンシリンダー、もしくはディスクシリンダー等の複雑な方式は採用されていない。シリンダー３０の内部には、磁石３２ａ、３２ｂ、および上記の３２ｃ、および３２ｄを備える磁石ロック盤３１が設けられている。略棒状の主軸４４を備えるサムターン４０を、シリンダー３０に装着すると、シリンダー３０近くに設けられた磁石プレート４１に備えられた磁石４２ａ、４２ｂ、および磁石４２ｃ、４２ｄの磁力によってばね５２ａおよび５２ｂの押圧力に抗して、磁石ロック盤３１がシリンダー３０の固定板（５３）に設けられた孔５３ａ、５３ｂ（および本図には現れていない５３ｃ、５３ｄ）から係止爪３３ａ、３３ｂ、（および上述の３３ｃ、３３ｄ）が抜き出されることにより外される。磁石ロック盤３１は矢印方向に移動し、磁石３２ａ、３２ｂおよび４２ａ、４２ｂは衝合される。この状態においてサムターン４０と磁石ロック盤３１との一体回動が可能となり、デッドボルトを出没させることが可能となる仕組みとなっている。このサムターン４０が単純形状であることにより、サムターン４０が差込まれるシリンダー３０の内部構造も複雑に構成されていないため、上記図２の室外側シリンダー２０と比較しても明らかであるように、室内側に突出せずにコンパクトに錠部６を設けることができる。
【００３７】
本実施形態では、ばね５２ａおよび５２ｂの２本のばねを備えている様子を示しているが、ばね５２は１本でもよく、複数本配置してもよい。さらにはシリンダー３０内部に磁石を設けることにより、微弱な磁力（磁石４２ａ、４２ｂに引き寄せられる磁力よりも弱い磁力）によってシリンダー３０内部に引き寄せられていてもよい。
【００３８】
もしくは磁石ロック盤３１は鉄等の磁力に吸引される材料で形成されていてもよい。
【００３９】
サムターン４０による室内側からの回動操作を行うためには、上記のとおり磁石ロック盤３１も一体となって回動されなければならない。そのため、主軸４４を切断面が矩形である略直方体の形状で示し、主軸４４の形状に対応するよう孔３４の開口部形状を矩形として示しているが、回動すればよく、切断面が正円の円筒形状以外であればよい。例えば三角形等の多角形の断面図で表される主軸４４および孔３４でもよい。
【００４０】
また、上記のとおり本発明では主軸４４の切断面が矩形であるため磁石による衝合部を４箇所設けているが、上記の防犯機能が維持できれば、主軸４４の形状を変える構成では４箇所より多くても、少なくてもよい。下記に主軸４４の断面形状と磁石３２ａ〜３２ｄ、および４２ａ〜４２ｄとの組合せ例を、図７を参照しつつ説明する。
【００４１】
図７は、主軸の形状、磁石の配置、および固定板に設けられた孔の位置を変形させた様子を概略的に示す斜視図である。（ａ）には主軸１１０の断面形状が三角形であるサムターン４０と、同断面形状の孔１１５を備えた磁石ロック盤３１とを示している。外出時等に施錠を行うには、主軸１１０が孔１１５に差込まれ、磁石１１１ａ〜１１１ｄと磁石１１６ａ〜１１６ｄとを衝合させ、磁石１１６ａ〜１１６ｄの裏面側に備えられた係止爪３３ａ〜３３ｄ（３３ｃ、および３３ｄは本図には現れていない。）を、固定板５３の孔１２０ａ〜１２０ｄから抜き出す。サムターン４０を矢印方向に９０度回転させてサムターンを抜き出し、係止爪３３ａ〜３３ｄを照合する孔１２０ａから１２０ｂのいずれかに再び嵌め入れて回動規制を行う。
【００４２】
主軸１１０と孔１１５が略同形状であるため回動が可能で、係止爪３３ａ〜３３ｄが９０度の回転対称に設けられているためサムターンを９０度回動させても解錠時と位置が変わらず再び孔１２０ａ〜１２０ｄに嵌入させることができる。
【００４３】
（ｂ）には主軸１３０の断面形状が凸形であるサムターン４０と、三角形状の断面形状の孔１３５を備えた磁石ロック盤３１とを示している。外出時等に施錠を行うには、主軸１３０が孔１３５に差込まれ、磁石１３１ａおよび１１１ｂと磁石１３６ａおよび１３６ｂとを衝合させ、磁石１３６ａおよび１３６ｂの裏面側に備えられた係止爪３３ａおよび３３ｂを、固定板５３の孔１４０ａおよび１４０ｂから抜き出す。サムターン４０を矢印方向に９０度回転させてサムターンを抜き出し、係止爪３３ａ〜３３ｄを照合する孔１４０ｃから１４０ｄに戻して回動規制を行う。図中において破線で示した磁石１３１ａ´および１３１ｂ´は、施錠時の磁石１３１ａおよび１３１ｂの位置を示している。
【００４４】
上述のとおり、主軸と孔とは回動可能であれば様々な形状でよい。また、磁石の配置、数も制限されるものではないが、サムターンを引き抜いた際、施解錠時のどちらの場合でも係止爪が孔に嵌入され、防犯性が劣らないものであれば、様々な構成が可能である。
【００４５】
以上の施解錠装置のうち、特に室内側のシリンダー３０は複雑な内部装置で構成されていないためコンパクトに構成されており、見栄えに優れ、かつサムターン４０が取り外しできるため「サムターン回し」の被害が防がれるとともに、複数の磁石（４２ａ〜４２ｄ、３２ａ〜３２ｄ）を組み合わせて施解錠させる機構であるため、主軸４４と同形状の工具での不正解錠も不可能である防犯性に優れた装置である。
【００４６】
また、上記の施解錠装置を備えたドア１は、就寝時には室内側のシリンダー３０のサムターン４０で施錠した後、サムターン４０をドア１から外して戸締りすればよく、外出時にはシリンダー３０のサムターン４０を取り外してから室外側のシリンダー２０の鍵２１で施錠して外出することができる。取り外されたサムターン４０は所持するか、シリンダー３０から離れた位置に保管しておくことができる。加えてサムターン４０には、磁石プレート４１が付属されているため、磁力を利用して鉄等の磁力が効く場所に保管することもでき、サムターン４０を紛失する事故も防ぐ事ができる。または磁石プレートに磁石を使用せず鉄を使用した場合には、磁力のある場所に保管しておくことができる。
【００４７】
また、本発明においては片開きドアを例として説明したが、本形態のみならず、鎌状のデッドボルトを備えることによって引き戸等にも適用可能である。さらに本形態では錠部とシリンダーとが別々に設けられているが、把手とシリンダーが一体となっていてもよい。
【００４８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う施解錠装置および開口部装置もまた本発明の技術的範囲に包含されるものとして理解されなければならない。
【００４９】
【発明の効果】
以上に説明したように、請求項１の発明によれば、通常サムターンと呼ばれる開閉つまみが錠に抜き差し可能であるので、この開閉つまみを錠から外しておくことにより、シリンダーに鍵を差し入れて解錠操作をしない限りは、解錠することができない。またこの状態においては、ロックプレートの回動が固定手段により規制されているため、開閉つまみと同一形状の軸の治具を利用して解錠つまみ差込口側から解錠を図ろうとしても、治具を回転させることができない。一方、開閉つまみを錠に差し込むと開閉つまみの規制解除手段がロックプレートの回動規制を解除するので、開閉つまみにより施解錠を自由に行うことができる。また、開閉つまみは単純形状であるため複雑な形状のシリンダーが不要であり、コンパクトな錠部を構成することができる。
【００５０】
また、請求項２の発明によれば、通常サムターンと呼ばれる開閉つまみが錠に抜き差し可能であるので、例えば就寝時や外出時などには開閉つまみを錠から外しておくことにより、犯罪を企てる者が室外側からいわゆるサムターン回しを試みようとしてもサムターンを回す手がかりがないため、解錠することができない。またこの状態においては、ロックプレートの回動が固定手段により規制されているため、上記犯罪を試みる者が同一形状の軸の治具を利用して室内側から解錠を図ろうとしても、治具を回転させることができない。一方上記就寝時や外出時以外の通常時には開閉つまみを錠に差し込むと開閉つまみの規制解除手段がロックプレートの回動規制を解除するので、室内側から開閉つまみにより施解錠を自由に行うことができる。また、開閉つまみ、シリンダーともに単純形状で構成でき、コンパクトな錠部が設けられることによって突出が少なくなり、意匠性の高い開口部装置を提供することができる。
【図面の簡単な説明】
【図１】開口部装置を示す室外側正面図である。
【図２】図１のＩＩ−ＩＩ線に沿った拡大断面図である。
【図３】サムターンを概略的に示す斜視図である
【図４】磁石ロック盤を概略的に示す斜視図である。
【図５】サムターンおよび磁石ロック盤が衝合された様子を概略的に示した斜視図である。（ａ）は磁石ロック盤によって回動規制された状態を示す図である。また（ｂ）は、サムターンおよび磁石ロック盤が衝合され、回動可能となったサムターンを回動させた様子を示す図である。
【図６】図２に示した四角枠ＶＩで囲んだ範囲の拡大図である。
【図７】サムターン、磁石ロック盤、および孔の変形例を示す斜視図である。
【符号の説明】
２  枠体
４  戸体
６  錠部
７  デッドボルト（係止部材）
８  受座
３０  シリンダー
３１  磁石ロック盤（ロックプレート）
３３ａ、３３ｂ  係止爪（固定手段）
４０  サムターン（開閉つまみ）
４１  磁石プレート（規制解除手段）
５２ａ、５２ｂ  ばね（固定手段）
５３ａ、５３ｂ  孔（固定手段）
１００  開口部装置
【図１】
2004346642.tif 000003
【図２】
2004346642.tif 000004
【図３】
2004346642.tif 000005
【図４】
2004346642.tif 000006
【図５】
2004346642.tif 000007
【図６】
2004346642.tif 000008
【図７】
2004346642.tif 000009